(57)【特許請求の範囲】
【請求項１】
医療用の検査装置であって、
医療用の複数の画像を記憶する記憶手段と、
前記記憶手段に記憶された複数の画像の全て又は一部を検査が終了する前に転送先に転送する転送手段と、
画像に関連した検査情報を編集する編集手段と、
検査終了が指示された場合、前記転送手段による画像の転送が行われたか否かを判定し、前記転送手段による画像の転送が行われていないと判定した場合、前記記憶手段に記憶された複数の画像の全てを前記転送先へ転送し、前記転送手段による画像の転送が行われていたと判定した場合、前記転送手段により転送されていない画像を前記転送先に転送し、前記転送手段により転送された画像の検査情報が前記検査終了の指示の前に前記編集手段により編集されたか否かを判定し、前記編集手段により検査情報が編集されたと判定した編集項目を含む画像を前記転送先へ再転送するよう制御する制御手段と、
を有する検査装置。
【請求項２】
前記制御手段は、検査を終了させるための操作入力に応じて、前記転送先へ画像を再転送するよう制御する請求項１に記載の検査装置。
【請求項３】
前記制御手段は、検査を保留させるための操作入力に応じて、前記転送先へ画像を再転送するよう制御する請求項１に記載の検査装置。
【請求項４】
前記制御手段は、前記編集手段による編集が完了することに応じて、前記転送先へ画像を再転送するよう制御する請求項１に記載の検査装置。
【請求項５】
前記転送手段は、転送を指示する操作入力に応じて、転送先に画像を転送する請求項１乃至４の何れか１項に記載の検査装置。
【請求項６】
前記転送先を選択する選択手段を更に有する請求項１乃至５の何れか１項に記載の検査装置。
【請求項７】
前記検査情報が編集されたか否かを判定する判定手段を更に有する請求項１乃至６の何れか１項に記載の検査装置。
【請求項８】
前記検査情報が編集された場合に、前記検査情報が編集されたことを示す情報を外部に出力する出力手段を更に有する請求項１乃至７の何れか１項に記載の検査装置。
【請求項９】
前記出力手段は、表示部に前記検査情報が編集されたことを表す情報を出力し、前記表示部は前記検査が編集されたことを表す情報を表示する請求項８に記載の検査装置。
【請求項１０】
前記検査情報に含まれる複数の撮影プロトコル情報と縮小画像とを表示部に表示させる表示制御手段を更に有する請求項１乃至９の何れか１項に記載の検査装置。
【請求項１１】
前記表示制御手段は、前記撮影プロトコル情報のプロトコルの状態が未撮影である場合と撮影済である場合と出力済である場合とで前記縮小画像の表示形態を変更する請求項１０に記載の検査装置。
【請求項１２】
前記表示制御手段は、前記検査情報に含まれる撮影プロトコル情報が編集された場合に、該編集された撮影プロトコル情報に対応する表示を、該編集された撮影プロトコル情報ではない撮影プロトコル情報に対応する表示と区別可能に表示させる請求項１０又は１１に記載の検査装置。
【請求項１３】
医療用の検査システムであって、
医療用の複数の画像を記憶する記憶手段と、
前記記憶手段に記憶された複数の画像の全て又は一部を検査が終了する前に転送先に転送する転送手段と、
画像に関連した検査情報を編集する編集手段と、
検査終了が指示された場合、前記転送手段による画像の転送が行われたか否かを判定し、前記転送手段による画像の転送が行われていないと判定した場合、前記記憶手段に記憶された複数の画像の全てを前記転送先へ転送し、前記転送手段による画像の転送が行われていたと判定した場合、前記転送手段により転送されていない画像を前記転送先に転送し、前記転送手段により転送された画像の検査情報が前記検査終了の指示の前に前記編集手段により編集されたか否かを判定し、前記編集手段により検査情報が編集されたと判定した編集項目を含む画像を前記転送先へ再転送するよう制御する制御手段と、
を有する検査システム。
【請求項１４】
医療用の検査装置が実行する転送処理方法であって、
医療用の複数の画像を記憶装置に記憶する記憶ステップと、
前記記憶装置に記憶された複数の画像の全て又は一部を検査が終了する前に転送先に転送する転送ステップと、
画像に関連した検査情報を編集する編集ステップと、
検査終了が指示された場合、前記転送ステップで画像の転送が行われたか否かを判定し、前記転送ステップで画像の転送が行われていないと判定した場合、前記記憶ステップで記憶された複数の画像の全てを前記転送先へ転送し、前記転送ステップで画像の転送が行われていたと判定した場合、前記転送ステップで転送されていない画像を前記転送先に転送し、前記転送ステップで転送された画像の検査情報が前記検査終了の指示の前に前記編集ステップで編集されたか否かを判定し、前記編集ステップで検査情報が編集されたと判定した編集項目を含む画像を前記転送先へ再転送するよう制御する制御ステップと、
を含む転送処理方法。
【請求項１５】
医療用の検査システムが実行する転送処理方法であって、
医療用の複数の画像を記憶装置に記憶する記憶ステップと、
前記記憶装置に記憶された複数の画像の全て又は一部を検査が終了する前に転送先に転送する転送ステップと、
画像に関連した検査情報を編集する編集ステップと、
検査終了が指示された場合、前記転送ステップで画像の転送が行われたか否かを判定し、前記転送ステップで画像の転送が行われていないと判定した場合、前記記憶ステップで記憶された複数の画像の全てを前記転送先へ転送し、前記転送ステップで画像の転送が行われていたと判定した場合、前記転送ステップで転送されていない画像を前記転送先に転送し、前記転送ステップで転送された画像の検査情報が前記検査終了の指示の前に前記編集ステップで編集されたか否かを判定し、前記編集ステップで検査情報が編集されたと判定した編集項目を含む画像を前記転送先へ再転送するよう制御する制御ステップと、
を含む転送処理方法。
【請求項１６】
コンピュータに、
医療用の複数の画像を記憶装置に記憶する記憶ステップと、
前記記憶装置に記憶された複数の画像の全て又は一部を検査が終了する前に転送先に転送する転送ステップと、
画像に関連した検査情報を編集する編集ステップと、
検査終了が指示された場合、前記転送ステップで画像の転送が行われたか否かを判定し、前記転送ステップで画像の転送が行われていないと判定した場合、前記記憶ステップで記憶された複数の画像の全てを前記転送先へ転送し、前記転送ステップで画像の転送が行われていたと判定した場合、前記転送ステップで転送されていない画像を前記転送先に転送し、前記転送ステップで転送された画像の検査情報が前記検査終了の指示の前に前記編集ステップで編集されたか否かを判定し、前記編集ステップで検査情報が編集されたと判定した編集項目を含む画像を前記転送先へ再転送するよう制御する制御ステップと、
を実行させるためのプログラム。
【発明の詳細な説明】
【技術分野】
【０００１】
本発明は、検査装置、検査システム、転送処理方法及びプログラムに関する。
【背景技術】
【０００２】
近年病院では、ネットワーク接続による病院情報システムが構築されている。例えば、Ｘ線撮影が必要と判断されると、ＨＩＳ（Ｈｏｓｐｉｔａｌ  Ｉｎｆｏｒｍａｔｉｏｎ  Ｓｙｓｔｅｍ）端末より検査指示を入力し、依頼先である放射線部門に伝達する。この依頼情報を検査オーダといい、この検査オーダには依頼元の部門名や、検査項目、患者の個人データ等が含まれる。放射線部門は検査オーダを受信すると、撮影条件等を付加し、Ｘ線検査システムへ転送する。Ｘ線検査システムでは受信した検査オーダに従ってＸ線撮影を実施する。撮影された画像には検査情報が付与され、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ）への転送やプリンタへプリント出力が行われる。
転送は通常、検査終了時に行われることが多いが、Ｘ線検査システムによっては検査終了前に画像を転送する機能を有するものがある。検査の終了前に画像転送することで、よりスムーズに検査を進めることができる。但し、転送後に転送画像に付属する情報を編集すると送信先と送信元とで情報の不一致が起こるため転送後は編集を不可にする等の処置がとられていた。
【先行技術文献】
【特許文献】
【０００３】
【特許文献１】特開２００６−２９６６４６号公報
【発明の概要】
【発明が解決しようとする課題】
【０００４】
検査終了を待たずに画像転送を行った場合、転送後に検査情報を修正すると転送先と転送元とで転送画像に付与された情報の不一致が起こる可能性がある。そこで、Ｘ線検査システムは転送実施すると情報を編集不可にするか、編集した場合はユーザが再出力指示を行う必要があった。Ｘ線検査システムを編集不可にする場合は利便性を損なってしまう。ユーザが再出力指示を行う場合はユーザに負担を強いるものであった。
【０００５】
本発明はこのような問題点に鑑みなされたもので、画像出力後に検査情報の編集が行われた場合、再出力の必要があるかどうか自動的に判断し、必要があれば再出力を行うことで、ユーザの操作性を向上させることを目的とする。
【課題を解決するための手段】
【０００６】
そこで、本発明は、医療用の検査装置であって、医療用の複数の画像を記憶する記憶手段と、前記記憶手段に記憶された複数の画像の全て又は一部を検査が終了する前に転送先に転送する転送手段と、画像に関連した検査情報を編集する編集手段と、検査終了が指示された場合、前記転送ステップで画像の転送が行われたか否かを判定し、前記転送ステップで画像の転送が行われていないと判定した場合、前記記憶ステップで記憶された複数の画像の全てを前記転送先へ転送し、前記転送ステップで画像の転送が行われていたと判定した場合、前記転送ステップで転送されていない画像を前記転送先に転送し、前記転送ステップで転送された画像の検査情報が前記検査終了の指示の前に前記編集ステップで編集されたか否かを判定し、前記編集ステップで検査情報が編集されたと判定した編集項目を含む画像を前記転送先へ再転送するよう制御する制御手段と、を有する。
【発明の効果】
【０００７】
本発明によれば、画像出力後に検査情報の編集が行われた場合、再出力の必要があるかどうか自動的に判断し、必要があれば再出力を行うことで、ユーザの操作性を向上させることができる。
【図面の簡単な説明】
【０００８】
【図１】医療用検査システムの機能構成の一例を示す図である。
【図２】実施形態１の医療用検査システムの動作について説明するフローチャートである。
【図３】表示装置に表示される検査情報の例３０１を示す図である。
【図４】撮影プロトコルの状態表示例を示す図である。
【図５】検査情報の表示例を示す図である。
【図６】実施形態２の医療用検査システムの動作について説明するフローチャートである。
【図７】撮影プロトコルの状態表示例を示す図である。
【図８】検査情報の表示例を示す図である。
【図９】検査情報の表示例を示す図である。
【図１０】出力先設定を行う画面例１００１を示す図である。
【発明を実施するための形態】
【０００９】
以下、本発明の実施形態について図面に基づいて説明する。
【００１０】
＜実施形態１＞
図１は、医療用検査システムの機能構成の一例を示す図である。
１０１は、検査オーダを入力する検査オーダ入力部である。検査オーダとは撮影する患者情報と撮影内容とから構成される。検査オーダはＲＩＳ等の外部システムから入力する方法と、医療用検査システムから操作者が手動で入力する方法と、がある。
１０２は、デジタルＸ線撮影装置で撮影された医療用の放射線画像を医療用検査システムへ入力する画像入力部である。放射線画像は、ネットワークを介して入力される場合やＣＤ−ＲＯＭやＤＶＤ等のメディアを経由して入力される場合もある。
１０３は、入力された放射線画像をハードディスク等の記憶装置に保持する画像保持部である。
１０４は、ＣＲＴや液晶モニター等の表示装置に、放射線画像や検査情報を表示する表示部である。
１０５は、表示装置に表示された放射線画像やこの画像に関連した検査情報に対して、画像出力や検査終了等の指示を行うマウスやキーボード等からの操作（操作情報）を入力する操作入力部である。
１０６は、画像と検査情報制御とを外部に転送するための画像出力部である。
１０７は、検査情報を編集する検査情報編集部である。
１０８は、画像と検査情報制御とを外部に転送するための画像出力部である。
１０９は、各部１０１〜１０８を相互に接続するシステムバスである。
【００１１】
なお、図１に示される各機能は、ハードウェアで実装されてもよいし、ＣＰＵがメモリに記憶されているプログラムを実行することによって実現されるソフトウェアで実装されてもよい。また、医療用検査システムは、複数の装置（コンピュータ）から構成されてもよいし、一つの装置（コンピュータ）で構成されてもよい。なお、本明細書では、医療用検査システムは、一つの装置（コンピュータ）で構成され、図１に示される機能は、装置（コンピュータ）のＣＰＵがメモリに記憶されているプログラムを実行することによって実現されるものとして説明を行う。
【００１２】
次に、図２に示すフローチャートを用いて、本実施の形態における医療用検査システムの動作について説明する。図２は、実施形態１の医療用検査システムの動作（転送処理）について説明するフローチャートである。なお、以下では説明の簡略化のため、ＣＰＵが処理を行うものとして説明を行う。
ステップＳ２０１において、ＣＰＵは、検査オーダを入力する。外部のシステムから入力される場合と手動操作により医療用検査システムから入力される場合とがある。
次にステップＳ２０２において、ＣＰＵは、検査オーダの内容を表示する。
ステップＳ２０３において、ＣＰＵは、撮影実施が行われたかどうか判断する。撮影が行われた場合、ＣＰＵは、ステップＳ２０４で画像保存を行い、ステップＳ２０５で画像表示する。その後、ＣＰＵは、ステップＳ２０２に戻り、撮影実施されたことを示すように検査オーダ情報を更新する。
ステップＳ２０３で撮影実施が行われなかったと判断した場合、ＣＰＵは、ステップＳ２０６へ進み、検査情報編集指示が行われたか判断する。検査情報編集指示が行われた場合、ＣＰＵは、ステップＳ２０７へ進み検査情報編集処理を行う。ここでいう検査情報とは、患者名や誕生日といった患者情報や、受付番号、検査記述といった項目である。
検査情報編集が終わるとステップＳ２０２に戻り、ＣＰＵは、検査オーダ情報を更新する。
【００１３】
ステップＳ２０６で検査情報編集指示ではないと判断した場合、ＣＰＵは、ステップＳ２０８へ進み、転送指示かどうか判断する。転送指示と判断した場合、ＣＰＵは、ステップＳ２０９へ進み、記憶装置に記憶されている画像の全て又は一部の転送処理を行う。その後、ステップＳ２０２に戻り、ＣＰＵは、転送されたことを示すように検査オーダ情報を更新する。
ステップＳ２０８で転送指示ではないと判断した場合、ＣＰＵは、ステップＳ２１０へ進み検査終了指示が行われたかどうか判断する。検査終了指示ではないと判断した場合、ＣＰＵは、ステップＳ２０２に戻る。
ステップＳ２１０で終了指示と判断した場合、ＣＰＵは、ステップＳ２１１に進み、検査終了までに転送処理が行われたかどうか判断する。もし、転送処理が行われていなければ、ＣＰＵは、ステップＳ２１２へ進み検査に含まれる全画像を転送する。
ステップＳ２１１で検査終了までに転送処理が行われたと判断した場合、ＣＰＵは、ステップＳ２１３へ進み、転送処理後に編集が行われたかどうか判断する。転送後に編集が行われたと判断した場合、ＣＰＵは、ステップＳ２１２へ進み、検査に含まれる全画像を転送する。ステップＳ２１３で転送後に編集が行わなかったと判断した場合、ＣＰＵは、ステップＳ２１４へ進み、未転送画像のみ出力する。
【００１４】
図３は、表示装置に表示される検査情報の例３０１を示す図である。
３０２は、画像表示領域である。撮影した画像が画像表示領域３０２に表示される。
３０３は、患者情報表示領域である。患者情報表示領域３０３には、患者名、患者ＩＤ、年齢等が表示され、編集することも可能である。
３０４は、Ｓｔｕｄｙ情報表示領域である。Ｓｔｕｄｙ情報表示領域３０４には、受付番号、検査記述の内容が表示され、編集することも可能である。
３０５は、撮影プロトコル情報である。撮影プロトコル情報３０５には、撮影するプロトコル名と共に、そのプロトコルの状態も表示される。
３０６は、Ｓｔｕｄｙ情報表示領域である。Ｓｔｕｄｙ情報表示領域３０６には、Ｓｔｕｄｙ情報表示領域３０４とは別のＳｔｕｄｙ情報が表示される。この領域は可変であり、Ｓｔｕｄｙが１つしかない場合は表示されない。３０７，３０８は、３０６のＳｔｕｄｙに含まれる撮影プロトコルである。
３０９は、転送指示ボタンである。この転送指示ボタン３０９が押下されるとそれまでに撮影された画像のうち未撮影のものが転送される。転送済のものについても転送後に検査情報編集が行われた場合は転送対象に含められるようにしてもよい。
３１０は、検査終了ボタンである。検査終了ボタン３１０が押下されると、撮影済の画像のうち、未転送のものが転送される。転送済のものについても転送後に検査情報編集が行われた場合は転送対象に含められる。
【００１５】
図４は、撮影プロトコルの状態表示例を示す図である。
４０１は、未撮影のプロトコルの表示例である。撮影プロトコル領域に未撮影とわかる表示が行われる。
４０２は、撮影済のプロトコルの表示例である。撮影プロトコル領域に撮影済とわかる表示が行われると共に撮影画像を示すアイコン４０３が表示される。
４０４は、撮影済画像を転送した場合の表示例である。撮影プロトコル領域に出力済とわかる表示が行われる。
医療用検査システムは、表示を文字で行ってもよいし、アイコンや色による変化を加えてもよい。
【００１６】
図５は、検査情報の表示例を示す図である。
この例では、５０１と５０２との撮影が実施された後、転送処理が行われ、その後で５０３の撮影が行われている。
この後、検査終了が行われ、情報の変更がなければ５０３の画像のみ出力される。
何かしらの検査情報編集が行われていれば編集された検査情報が付与され、５０１，５０２の画像も合わせて転送される。
実施形態１では編集した項目に関わらず、編集が行われると全ての画像が再転送されている。
【００１７】
＜実施形態２＞
次に、図６に示すフローチャートを用いて、本実施形態２における医療用検査システムの動作について説明する。図６は、実施形態２の医療用検査システムの動作について説明するフローチャートである。なお、以下では説明の簡略化のため、ＣＰＵが処理を行うものとして説明を行う。
ステップＳ６０１において、ＣＰＵは、検査オーダを入力する。外部のシステムから入力される場合と手動操作により医療用検査システムから入力される場合とがある。
次にステップＳ６０２において、ＣＰＵは、検査オーダの内容を表示する。
ステップＳ６０３において、ＣＰＵは、撮影実施が行われたかどうか判断する。撮影が行われた場合、ＣＰＵは、ステップＳ６０４で画像保存を行い、ステップＳ６０５で画像表示する。その後、ＣＰＵは、ステップＳ６０２に戻り、撮影実施されたことを示すように検査オーダ情報を更新する。
ステップＳ６０３で撮影実施が行われなかったと判断した場合、ＣＰＵは、ステップＳ６０６へ進み、検査情報編集指示が行われたか判断する。検査情報編集指示が行われた場合、ＣＰＵは、ステップＳ６０７へ進み検査情報編集処理を行う。ここでいう検査情報とは、患者名や誕生日といった患者情報や、受付番号、検査記述といった項目である。
検査情報編集が終わるとステップＳ６０２に戻り、検査オーダ情報を更新する。その際、既に転送済の画像に含まれる情報の編集があった場合は、それを示す表示を行う。
【００１８】
ステップＳ６０６で検査情報編集指示ではないと判断した場合、ＣＰＵは、ステップＳ６０８へ進み、転送指示かどうか判断する。転送指示と判断した場合、ＣＰＵは、ステップＳ６０９へ進み転送処理を行う。その後、ステップＳ６０２に戻り、ＣＰＵは、転送されたことを示すように検査オーダ情報を更新する。
ステップＳ６０８で転送指示ではないと判断した場合、ＣＰＵは、ステップＳ６１０へ進み検査終了指示が行われたかどうか判断する。検査終了指示ではないと判断した場合、ＣＰＵは、ステップＳ６０２に戻る。
ステップＳ６１０で終了指示と判断した場合、ＣＰＵは、ステップＳ６１１に進み、検査終了までに転送処理が行われたかどうか判断する。もし、転送処理が行われていなければ、ＣＰＵステップＳ６１２へ進み検査に含まれる全画像を転送する。
ステップＳ６１１で検査終了までに転送処理が行われたと判断した場合、ＣＰＵは、ステップＳ６１３へ進み、未転送画像のみ出力する。その後、ＣＰＵは、ステップＳ６１４へ進み転送処理後に編集が行われたかどうか判断する。転送後に編集が行われたと判断した場合、ＣＰＵは、ステップＳ６１５へ進み編集した項目を含む転送済画像を再転送する。
【００１９】
図７は、撮影プロトコルの状態表示例を示す図である。
７０１は、撮影済画像を転送した後、編集を行い編集内容が転送済情報と不一致する場合の表示例である。７０２に情報の変更があったことを示すアイコンが表示されている。
医療用検査システムは、表示を文字で行ってもよいし、色やダイアログによる警告を行ってもよい。
図８は、検査情報の表示例を示す図である。
この例では、８０２と８０３との撮影が実施された後、転送処理が行われ、その後で８０４の撮影が行われている。
この後、８０１に示すように患者名が変更されている。
この場合、既に出力されている８０２と８０３との検査情報の不一致が発生してしまうため、医療用検査システムは、検査終了時には編集された患者名を反映して８０２と８０３との画像が８０４と共に転送先に転送される。
図９は、検査情報の表示例を示す図である。
この例では、９０２と９０３との撮影が実施された後、転送処理が行われ、その後で９０４の撮影が行われている。
この後、９０１に示すように検査記述の内容が変更されている。
この場合、既に出力されている９０２と９０３とのうち、９０２の検査情報の不一致が発生してしまう。そのため、医療用検査システムは、検査終了時には編集された検査記述を反映して９０２の画像が９０４と共に転送される。
【００２０】
図１０は、出力先設定を行う画面例１００１を示す図である。
１００２、１００４は、操作者が出力先の有効／無効の切り替えのためのチェックボックスである。ここで有効設定されている出力先に転送ボタン押下時及び検査終了時に転送が行われる。
１００３、１００５は、出力先切り替えボタンである。操作者は、このボタンを用いて事前登録されている複数の出力先から選択することができる。
１００６は、転送実行ボタンである。このボタンが押下されると、医療用検査システムは、転送処理を実行する。
医療用検査システムは、転送処理において、これまでに撮影されている画像のうち未転送の画像を全て転送する。その際、医療用検査システムは、転送済の画像のうち、編集操作によって検査情報の不一致が発生してしまう画像を含めて転送する。
転送後に設定が変更された場合、医療用検査システムは、転送済画像であっても未転送の転送先には出力する。
【００２１】
＜実施形態３＞
上述した実施形態では、医療用検査システムは、検査終了時に編集内容と転送済状況とを基に再送判断及び転送処理を行う例を説明した。しかしながら、医療用検査システムは、同様の判断を、検査保留指示が行われたとき若しくは編集確定時に行ってもよい。更に、医療用検査システムは、転送先設定により検査途中で出力しないように設定した場合であっても、編集が既に転送済の画像に影響がある場合は、再出力処理を行うようにしてもよい。
【００２２】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００２３】
以上、上述した各実施形態によれば、画像出力後に検査情報の編集が行われた場合、再出力の必要があるかどうか自動的に判断し、必要があれば再出力を行うことで、ユーザの操作性を向上させることができる。
【００２４】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００２５】
１０６  画像出力部、１０８  画像出力制御部
【図１】
0005822538.tif 000002
【図２】
0005822538.tif 000003
【図３】
0005822538.tif 000004
【図４】
0005822538.tif 000005
【図５】
0005822538.tif 000006
【図６】
0005822538.tif 000007
【図７】
0005822538.tif 000008
【図８】
0005822538.tif 000009
【図９】
0005822538.tif 000010
【図１０】
0005822538.tif 000011